(57)【特許請求の範囲】
【請求項１】
プリンタ付き料金はかりにおいて、操作キー部から入力した情報と計量した重量値を演算制御部に読み込む段階と、目標価格、単価許容範囲を演算制御部に記憶する段階と、目標価格の設定がないときは通常の料金演算をし、目標価格が設定されているときは、その価格に対応する単価を逆算する段階と、上記単価が設定された単価許容範囲内のときは逆算された上記単価と上記目標価格及び上記重量等を表示及び印字する段階と、逆算された単価が上記単価許容範囲外のときは単価をブランクとし又は記号表示とし又は欄外に表示及び印字して区別する段階とにより、販売者が希望する価格、単価とが各種データとともに表示及び印字されることを特徴とする料金はかり。
【請求項２】
前記の単価許容範囲の設定に替え、目標価格に対応する重量許容範囲と目標単価とを設定することにより、上記目標価格と目標単価により仮定重量が逆算される段階と、その仮定重量が上記重量許容範囲内のときは逆算された上記目標単価と上記目標価格及び重量等を表示及び印字する段階と、仮定重量が上記重量許容範囲外のときは逆算された単価をブランクとし又は記号表示とし又は欄外に表示及び印字して区別する段階とを有することを特徴とする請求項１記載の料金はかり。
【発明の詳細な説明】
【０００１】
【発明の属する技術分野】
単価と計量した重量値により商品の価格を計算し、その各々の値を表示する料金はかり及び上記各々の値を印字したラベルを発行する機能を備えたプリンタ付き料金はかりにおける価格並びに単価の算出方法に関する。
【０００２】
【従来の技術】
従来、この種の料金はかりでは予め品物に応じた単価を設定しておき、商品を計量器に載せると価格が計算され、各々の値が表される。これら値をラベルプリンタで印字すると、そのラベルは商品に貼付される場合が殆どである。特殊なものとしては単価を設定したあと、客の希望する価格にするために重量値を計算して表示する機能を付加したものがある。これは肉や煮豆などのバラものを対面販売する場合において、単価○○円の商品を△△円分欲しいと言われたときにその金額では重量をいくらにすればよいかが直に判る便利な機能である。このような料金はかりを使用して販売する対面販売方式と、スーパー等で行っているプリパック方式とがある。特に上記プリパック方式では商品を一定の価格にするための重量値を計算して表示する機能が有効となっている。商品によっては魚、果物等のようにその重量値に合わせ込むことが極めて難しい物もあり、別の物を載せ替えて合わせ込むことも行われているがこれには大変な労力を要することになる。
【０００３】
又、スーパー等で魚等の生鮮食品を時間帯によって値引きサービスをする場合がある。これは手書きによる場合もよく見掛けられる。これら値引きのラベル発行を電子キャッシュレジスタによって発行する発明が特開平８−２０２９５６に開示されている。この発明は値下げ商品対象であることを示すバーコードを貼付しておき、値下げ時間がくればその処理を実施するか、又は値下げのバーコードを貼付するタイミングを選択することで、いつからでも値下げ販売ができるというもので、ここではレジスタのため重量の要素は含まれていない。又来店頻度の高い固定客に対して値下げサービスをするための発明が特開平８−２０２９５５に開示されている。この発明は客番号と来店日を対応させて記憶し、一方来店間隔と値引きデータをも対応させて記憶し、来店した客番号を入力することで前回の来店日がわかり、従って来店間隔がわかるので上記記憶データにより、来店頻度の高い客には値下げを多くし、来店頻度の低い客には値下げを少なくして差別化しようとするものである。ここでもレジスタのため重量の要素は含まれていない。
【０００４】
【発明が解決しようとする課題】
前述のような従来技術では、目標重量又は目標価格に商品を合わせ込むのに労力がかかることを述べたが、一定重量又は一定価格にするために組合せ秤を使用することも行われてはいるが、高価なため、小規模な小売店では購入し難いという問題がある。又一定重量値にプリパックした商品では単価表示がないのでどのような品質レベルのものかが消費者にはわかり難いという問題があり、単価表示を義務付けるという動きがある。しかし従来の技術では対応できない。そこでこの発明は、値引きを実施しようとするとき販売者が販売したい価格に対して、その商品の単価許容範囲内に値引き後の単価が入っておれば値引き処理を実行し値引き演算された単価と実重量および値引き後の価格を表示する。又上記の値引きによる単価と実重量および価格をラベルに印字するもので、上記の処理によりラベル印字された単価は同一商品でも若干異なることになり、従って単価許容範囲の最低では値引きの中でも更に価格において割安感を客に与えようとするもので、これらの機能をプリンタ付き料金はかりで実現できる方法を提供するものであり、値引きのための単価許容範囲の替わりに重量許容範囲を設けて上記と同様の目的を実現できる方法を提供しようとするものである。
【０００５】
【課題を解決するための手段】
前記の目的を達成するために、この発明は、プリンタ付き料金はかりにおいて、操作キー部から入力した情報と計量した重量値を演算制御部に読み込み、目標価格、単価許容範囲又は目標単価と重量許容範囲を演算制御部に記憶させ、上記目標価格が設定されているか否かを判別する段階を設け、設定されていなければ通常の料金演算をするようにし、目標価格が設定されておればその目標価格と重量により単価を逆算し、その単価が先に設定された単価許容範囲内のときは逆算された単価、目標価格、重量等を表示し、印字の必要があれば表示された内容をラベル等の印字用紙に印字するようにし、逆算された単価が上記単価許容範囲外のときは単価をブランクとするか記号にて表示するか又は欄外に表示及び印字するようにして対象商品と区別するように構成した。又上記単価許容範囲に替えて、目標価格に対応する重量許容範囲と目標単価とを設定したときは、上記目標価格と目標単価により仮定重量が逆算され、その仮定重量が設定された重量許容範囲内のときは先に逆算された単価と目標価格及び重量等が表示及び印字されるようにし、仮定重量が上記重量許容範囲外のときは逆算された単価をブランクとするか記号にて表示するか又は欄外に表示及び印字されるように構成した。
【０００６】
【発明の実施の形態】
この発明では、販売者が日又は時間を限定して例えばプリパック商品を客へのサービスとして値引きして、その値引きが客によく知ってもらえるようにラベルを貼付しようとするもので、値引きされたときの目標価格と目標とする単価許容範囲を設定すると目標価格と重量から単価が逆算され、販売者が希望する単価になっておれば直ちに値引きされた価格と値引きされた単価及びその他のデータをラベルに印字し、そのラベルを商品に貼付して値引きしたことが客によくわかるようにして販売促進をしようとするものである。
【０００７】
【実施例】
この発明の実施例におけるプリンタ付き料金はかりの内部構成を示すブロック図を図１に、価格・単価の算出方法を示すフローチャートを図２に示す。又図３は上記プリンタ付き料金はかりの斜視図である。図１及び図３において、１は商品を置く載台を有した計量部、２は上記計量部からのアナログ出力をディジタル計量信号に変換するＡ／Ｄ変換器、３はプログラムを格納した読みだし専用のメモリＲＯＭと、演算等に使用する読み書きができるメモリＲＡＭと、入出力Ｉ／Ｏを持ちプログラムに従って各種演算処理等を実行する演算装置ＣＰＵとで構成された演算制御部である。上記Ａ／Ｄ変換器２より送信された重量信号は演算制御部３に入力され、一方操作キー部７の操作によりキーコントローラ６を経由して単価、目標価格、単価許容範囲が上記演算制御部３に入力される。今、単価を上記操作キー部７より入力すると商品の重量とにより商品の価格が演算される。単価、目標価格及び単価許容範囲を上記同様入力すると、載台に載せられた商品の重量と目標価格により単価が演算され、その単価が上記単価許容範囲内であればその単価が表示される。このようにして演算された単価、価格、重量値及び先に操作キー部７により設定された設定値等は、表示コントローラ４を経て表示部５に表示される。この表示部では１１に単価、１２に重量、１３に価格がそれぞれ表示されるようになっている。又同時にこれらの値はプリンタの駆動と制御を行うプリンタ制御部９によりプリンタ１０でラベル又はロール紙に印字される。１４はこの印字された紙が発行される出口である。８は各要素に必要な電力を供給する電源部である。
【０００８】
次に図２のフローチャートにより価格・単価の算出方法について説明する。ステップＳ１で操作キー部７からの情報と計量部１からＡ／Ｄ変換器２を経由して送信された重量信号とを演算制御部３に読み込み表示用の重量値データに加工し、ステップＳ２では各種操作キーが押されたか否かを判別し、ＹＥＳのときはステップＳ３にて各種キー処理に移行する。このキー処理は風袋引き、零点リセット等の重量に関する処理と、単価であればテンキーからの入力により上記演算制御部３内の単価メモリに記憶され、目標価格であれば同様に目標価格メモリに記憶される。ステップＳ４では料金はかり本来の価格演算処理の有無を判断し、ＹＥＳのときはステップＳ５にて先にステップＳ３で記憶された商品の単価とステップＳ１にて読み込まれた重量値との積により価格が演算される。上記ステップＳ４の選択は、目標価格が設定されているか否かによって自動的に判別され、設定されていないときに上記のステップＳ５に進むことになる。このステップＳ５の演算処理が終了するとステップＳ１１にて単価と重量および価格の表示が表示コントローラ４により表示部５にて表示される。ステップＳ１３で印字をするか否かが選択され、印字を行うときはＹＥＳとなりステップＳ１４で各種データの印字処理をしプリンタ制御部９によりプリンタ１０で印字が行われ後ステップＳ１に戻る。上記ステップＳ１３で印字が不要なときはそのままステップＳ１に戻ることになる。ここで前述したように値引き等を行う目的で販売者が売りたい価格に対し、単価を逆算して単価許容範囲内に入っておれば値引きした価格と、値引きした単価が同時に表示される。又単価許容範囲の替わりに重量許容範囲内に商品の重量が入っておれば上記同様表示される。この方法が本発明の主たる要件故以下に詳述する。目標価格が設定されていると、ステップＳ４がＮＯとなりステップＳ６にて単価許容範囲が設定されているとステップＳ７で単価が逆算され、ステップＳ８で単価許容範囲内であるか判断され、単価許容範囲内であればＹＥＳとなりステップＳ１１に進み、単価、重量、価格が表示される。この場合、単価はステップＳ７で演算された値で重量は真の重量が表示される。ステップＳ８がＮＯのときはステップＳ１２に進み単価表示をブランクにするか又は記号表示するか又は欄外に表示して規定枠内には重量と価格のみを表示し、単価許容範囲内の商品と区別する。この後はステップＳ１３に進む。上記単価許容範囲の替わりに重量許容範囲が設定されておればステップＳ６がＮＯとなりステップＳ９に進み目標価格と目標単価により仮定重量が演算されステップＳ１０で重量許容範囲内であればＹＥＳとなってステップＳ１１に進む。この場合の表示は目標単価と客の希望する目標価格によって決定される重量である。又ステップＳ１０がＮＯであればステップＳ１２に進み上記した表示と同様の表示となる。
【０００９】
前記の動作を例をあげて以下に説明する。商品をプリパック品とし、単価を１００ｇ当たり５００円とし、３種のプリパック品Ａ〜Ｃがあるとすると通常の料金計算では下記となる。Ａの価格＝単価（５００円／１００ｇ）×重量５００ｇ＝２５００円。Ｂの価格＝単価（５００円／１００ｇ）×重量５１０ｇ＝２５５０円。Ｃの価格＝単価（５００円／１００ｇ）×重量４８０ｇ＝２４００円。そこで日又は時間を限定して販売者が値引きすることにし、上記商品のいずれも一律２２００円で販売することにすると、値引きされた単価を１００ｇ当たり４５０円±１０円の範囲内としたいとき、それぞれ下記のように演算される。Ａの１００ｇ当たり単価＝目標価格（２２００円）÷５００ｇ×１００＝４４０円。Ｂの１００ｇ当たり単価＝目標価格（２２００円）÷５１０ｇ×１００＝４３１円。Ｃの１００ｇ当たり単価＝目標価格（２２００円）÷４８０ｇ×１００＝４５８円。となりＡ商品とＣ商品が単価許容範囲に入っているので逆算された単価と重量と一律価格が表示され、ラベルを貼付し直す時はラベル印字されそのラベルが先に貼付されラベルに替わって貼付される。従って客は値引きの状態がよくわかる。単価許容範囲をはずれて安過ぎることになったＢ商品については単価表示のラベル印字がブランクか記号表示又は欄外表示されるので今販売しようとする値引き商品とは区別されるのであとの処理がやり易くなる。又販売者が値引きの限度を単価でなく重量許容範囲とし、１００ｇ当たりの値引き単価を４５０円とすると、目標重量の標準は、目標価格（２２００円）÷単価（４５０円／１００ｇ）≒４８９ｇとなる。そこで上下範囲を±１５ｇとすると重量許容範囲は４７４ｇ〜５０４ｇとなる。従ってＡ商品とＣ商品が重量許容範囲に入っているのでラベルの規定位置に印字される。又その値は単価許容範囲を設定したときと同じとなり、夫々の単価、重量、価格はＡ商品では単価４４０円／１００ｇ、重量５００ｇ、価格２２００円となる。Ｂ商品は重量許容範囲をはずれて重過ぎるので上記同様単価表示のラベル印字がブランクか記号表示又は欄外表示されて今販売しようとする値引き商品とは区別される。
【００１０】
【発明の効果】
プリパック商品を日又は時間を限定して販売促進と客へのサービスとして値引き販売したいときがある。このとき値引き目標価格を設定し、同時に値引きされたときの単価許容範囲又は重量許容範囲を設定することで、販売者が希望する値下げされたことを示すラベルに単価を逆算して、単価、重量、価格等を表示・印字することができ、特に値下げされた単価が客によくわかり、販売が促進されるという効果がある。又値引きに限らず定額のプリパック商品を提供したいときがあるが、販売者の希望する限度となる単価許容範囲内又は重量許容範囲内の商品のみが規定の箇所に表示・印字されるので、歩留まりがよいという効果もある。
【図面の簡単な説明】
【図１】この発明の実施例におけるプリンタ付き料金はかりの内部構成を示すブロック図である。
【図２】この発明の実施例における価格・単価の算出方法を示すフローチャートである。
【図３】この発明の実施例におけるプリンタ付き料金はかりの斜視図である。
【符号の説明】
１  計量部
２  Ａ／Ｄ変換器
３  演算・制御部
４  表示コントローラ
５  表示部
６  キーコントローラ
７  操作キー部
８  電源部
９  プリンタ制御部
１０  プリンタ
１１  単価表示部
１２  重量表示部
１３  価格表示部
１４  印字紙出口
【図１】
0003648001.tif 000002
【図２】
0003648001.tif 000003
【図３】
0003648001.tif 000004